(57)【要約】【課題】光源色の色度のばらつきを抑制する。【解決手段】点灯装置は、一対の端子間に寄生容量（静電容量）を有するＬＥＤに対して、一対の端子を通して発光素子に順電流Ｉｆを供給する点灯回路を備える。点灯装置は、点灯回路を制御し、ＬＥＤに直流電流を供給する第１期間Ｔ１とＬＥＤに直流電流を供給しない第２期間Ｔ２を交互に切り替えさせ、かつ、単位時間当たりの第１期間Ｔ１と第２期間Ｔ２の割合を変化させる制御回路を備える。点灯装置は、点灯回路が第１期間Ｔ１から第２期間Ｔ２に切り替えられるときに、寄生容量に蓄えられている電荷を、ＬＥＤを通さずに放電させる強制オフ回路を備える。【選択図】        図２
2020021615.tif 000002
【特許請求の範囲】
【請求項１】
一対の端子間に静電容量を有する発光素子に対して、前記一対の端子を通して前記発光素子に直流電流を供給する点灯回路と、
前記点灯回路を制御し、前記発光素子に前記直流電流を供給する第１期間と前記発光素子に前記直流電流を供給しない第２期間を交互に切り替えさせ、かつ、単位時間当たりの前記第１期間と前記第２期間の割合を変化させる制御回路と、
前記点灯回路が前記第１期間から前記第２期間に切り替えられるときに、前記静電容量に蓄えられている電荷を、前記発光素子を通さずに放電させる強制オフ回路と
を備える、
点灯装置。
【請求項２】
前記点灯回路である第１の点灯回路と第２の点灯回路と、
前記強制オフ回路である第１の強制オフ回路と第２の強制オフ回路と
を備え、
前記第１の点灯回路は、複数の前記発光素子のうち、第１の光源色を有する第１の発光素子に直流電流を供給し、
前記第２の点灯回路は、複数の前記発光素子のうち、前記第１の光源色と色度の異なる第２の光源色を有する第２の発光素子に直流電流を供給し、
前記第１の強制オフ回路は、前記第１の点灯回路が前記第１期間から前記第２期間に切り替えられるときに、前記第１の発光素子が有する前記静電容量に蓄えられている電荷を、前記第１の発光素子を通さずに放電させ、
前記第２の強制オフ回路は、前記第２の点灯回路が前記第１期間から前記第２期間に切り替えられるときに、前記第２の発光素子が有する前記静電容量に蓄えられている電荷を、前記第２の発光素子を通さずに放電させる、
請求項１記載の点灯装置。
【請求項３】
前記点灯回路である第１の点灯回路と第２の点灯回路を備え、
前記第１の点灯回路は、複数の前記発光素子のうち、第１の光源色を有する第１の発光素子に直流電流を供給し、
前記第２の点灯回路は、複数の前記発光素子のうち、前記第１の光源色と色度の異なる第２の光源色を有する第２の発光素子に直流電流を供給し、
前記強制オフ回路は、前記第１の点灯回路及び前記第２の点灯回路が前記第１期間から前記第２期間に切り替えられるときに、前記第１の発光素子及び前記第２の発光素子が有する前記静電容量に蓄えられている電荷を、前記第１の発光素子及び前記第２の発光素子を通さずに放電させる、
請求項１記載の点灯装置。
【請求項４】
前記強制オフ回路は、前記静電容量に蓄えられている電荷を放電させる経路に挿入された限流素子を有する、
請求項１〜３のいずれか１項に記載の点灯装置。
【請求項５】
前記強制オフ回路は、前記一対の端子間に逆方向の直流電圧を印加する回路又は回路素子を有する、
請求項１〜４のいずれか１項に記載の点灯装置。
【請求項６】
前記回路素子はコンデンサである、
請求項５記載の点灯装置。
【請求項７】
前記回路はスイッチング電源回路である、
請求項５記載の点灯装置。
【請求項８】
前記静電容量は、前記発光素子の寄生容量を含む、
請求項１〜７のいずれか１項に記載の点灯装置。
【請求項９】
請求項１〜８のいずれか１項の点灯装置と、
一対の端子間に静電容量を有し、前記一対の端子を通して前記点灯装置から直流電流が供給される一つ以上の発光素子と
を有する、
照明システム。
【発明の詳細な説明】
【技術分野】
【０００１】
本発明は、点灯装置及び照明システムに関し、より詳細には、静電容量を有する発光素子を点灯させる点灯装置、及び当該点灯装置を備える照明システムに関する。
【背景技術】
【０００２】
従来例として、特許文献１記載の点灯装置を例示する。特許文献１記載の点灯装置は、電源回路と、赤色光源点灯回路、緑色光源点灯回路及び青色光源点灯回路を含む複数の点灯回路と、制御回路とを有する。赤色光源点灯回路は、赤色光を放射する発光素子（赤色発光ダイオード）を点灯させる。緑色光源点灯回路は、緑色光を放射する発光素子（緑色発光ダイオード）を点灯させる。青色光源点灯回路は、青色光を放射する発光素子（青色発光ダイオード）を点灯させる。制御回路は、赤色光源点灯回路、緑色光源点灯回路及び青色光源点灯回路をＰＷＭ制御することにより、赤色光源点灯回路、緑色光源点灯回路及び青色光源点灯回路を含む光源部の発光色を調光する。
【先行技術文献】
【特許文献】
【０００３】
【特許文献１】特開２０１７−１９５１９１号公報
【発明の概要】
【発明が解決しようとする課題】
【０００４】
ところで、上記従来例のように点灯回路から発光素子（ＬＥＤ）への給電を入切する場合、ＬＥＤ（Light Emitting Diode）の端子間静電容量（寄生容量）に蓄えられた電荷が放電されるまでＬＥＤに電流が流れ続ける。一方、ＬＥＤは、流れる電流の大きさに応じて光源色の色度が変化するという特性を有している。したがって、点灯回路がＰＷＭ制御を行う場合において、ＬＥＤに電流を供給する期間（オン期間）からＬＥＤに電流を供給しない期間（オフ期間）に切り替わる際、ＬＥＤの寄生容量からの放電電流が流れているときの光源色の色度が変化してしまう。その結果、従来例のような点灯装置では、光源色の色度のばらつきを抑えることが困難であった。
【０００５】
本発明の目的は、光源色の色度のばらつきを抑制することができる点灯装置及び照明システムを提供することである。
【課題を解決するための手段】
【０００６】
本発明の一態様に係る点灯装置は、一対の端子間に静電容量を有する発光素子に対して、前記一対の端子を通して前記発光素子に直流電流を供給する点灯回路を備える。前記点灯装置は、前記点灯回路を制御し、前記発光素子に前記直流電流を供給する第１期間と前記発光素子に前記直流電流を供給しない第２期間を交互に切り替えさせ、かつ、単位時間当たりの前記第１期間と前記第２期間の割合を変化させる制御回路を備える。前記点灯装置は、前記点灯回路が前記第１期間から前記第２期間に切り替えられるときに、前記静電容量に蓄えられている電荷を、前記発光素子を通さずに放電させる強制オフ回路を備える。
【０００７】
本発明の一態様に係る照明システムは、前記点灯装置と、一対の端子間に静電容量を有し、前記一対の端子を通して前記点灯装置から直流電流が供給される一つ以上の発光素子とを有する。
【発明の効果】
【０００８】
本発明の点灯装置及び照明システムは、光源色の色度のばらつきを抑制することができるという効果がある。
【図面の簡単な説明】
【０００９】
【図１】図１は、実施形態１に係る点灯装置及び照明システムの回路図である。
【図２】図２は、同上の点灯装置の動作説明用のタイムチャートである。
【図３】図３は、同上の点灯装置の動作説明用のタイムチャートである。
【図４】図４は、実施形態２に係る点灯装置及び照明システムの回路図である。
【図５】図５は、同上の点灯装置及び照明システムの変形例の回路図である。
【図６】図６は、実施形態３に係る点灯装置及び照明システムの回路図である。
【図７】図７は、同上の点灯装置の動作説明用のタイムチャートである。
【発明を実施するための形態】
【００１０】
実施形態に係る点灯装置及び照明システムについて、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
（実施形態１）
実施形態１の点灯装置１は、図１に示すように、点灯回路２と、制御回路３と、強制オフ回路４とを備える。また、実施形態１の照明システム６は、点灯装置１と、発光素子であるＬＥＤ５とを備える。
【００１２】
ＬＥＤ５は、例えば、照明用の白色ＬＥＤである。ただし、ＬＥＤ５の光源色は、白色以外の光源色、例えば、赤色、緑色又は青色等であってもかまわない。ＬＥＤ５は、一対の端子（カソード端子及びアノード端子）間に寄生容量５０（静電容量）を有している。ただし、発光素子はＬＥＤに限定されず、例えば、有機エレクトロルミネッセンス素子などであってもかまわない。なお、ＬＥＤ５に印加される電圧の変動を抑制するため、ＬＥＤ５のカソード端子とアノード端子の間にコンデンサが電気的に接続される場合がある。この場合、前記コンデンサの静電容量と寄生容量５０がＬＥＤ５の有する静電容量に相当する。
【００１３】
点灯回路２は、定電流源２０と、一対の第１スイッチ２１とを有している。定電流源２０の正極は、一方の第１スイッチ２１を介してＬＥＤ５のアノード端子と電気的に接続されている。定電流源２０の負極は、他方の第１スイッチ２１を介してＬＥＤ５のカソード端子と電気的に接続されている。
【００１４】
強制オフ回路４は、直流電源４０と、一対の第２スイッチ４１とを有している。直流電源４０の正極は、一方の第２スイッチ４１を介してＬＥＤ５のカソード端子と電気的に接続されている。直流電源４０の負極は、他方の第２スイッチ４１を介してＬＥＤ５のアノード端子と電気的に接続されている。
【００１５】
制御回路３は、一対の第１スイッチ２１を連動してオン・オフする。また、制御回路３は、一対の第２スイッチ４１を連動してオン・オフする。制御回路３は、操作装置（不図示）などの外部機器から操作指令を受け取り、受け取った操作指令で指示される調光レベルに応じて点灯回路２を制御し、ＬＥＤ５の光量を調光する。
【００１６】
次に、図２及び図３のタイムチャートを参照して、点灯装置１の動作を説明する。なお、図２及び図３のタイムチャートにおいて、最上段の波形は第１スイッチ２１のオン・オフ状態を示し、上から２段目の波形はＬＥＤ５の順電流Ｉｆを示し、上から３段目の波形はＬＥＤ５の光量を示している。また、上から４段目の波形は第２スイッチ４１のオン・オフ状態を示し、上から５段目の波形は寄生容量５０の放電電流Ｉｄを示している。さらに、下から２段目の波形はＬＥＤ５から放射される光の色度図上のｘ座標を示し、最下段の波形はＬＥＤ５から放射される光の色度図上のｙ座標を示している。
【００１７】
制御回路３は、操作指令で指示される調光レベルが１００％のとき、一対の第１スイッチ２１をオン状態に維持し、かつ、一対の第２スイッチ４１をオフ状態に維持する。点灯回路２は、一対の第１スイッチ２１がオン状態に維持されることにより、定電流源２０から一定の順電流Ｉｆ（ＬＥＤ５の定格電流）を供給してＬＥＤ５を点灯（定格点灯）させる。
【００１８】
また、制御回路３は、操作指令で指示される調光レベルが５０％のとき、所定の第１期間Ｔ１に、一対の第１スイッチ２１をオン状態に維持し、かつ、一対の第２スイッチ４１をオフ状態に維持する（図２参照）。第１期間Ｔ１においては、定電流源２０が定格の順電流Ｉｆを供給してＬＥＤ５を定格点灯させる。さらに、制御回路３は、第１期間Ｔ１が終了すると一対の第１スイッチ２１をオフし、かつ、一対の第２スイッチ４１をオンする。制御回路３は、調光レベルが５０％の場合、第１期間Ｔ１と同じ時間長の第２期間Ｔ２に、一対の第１スイッチ２１をオフ状態に維持する。つまり、第２期間Ｔ２においては、定電流源２０からＬＥＤ５に対して順電流Ｉｆが供給されない。ここで、制御回路３は、一定の周期Ｔ０（Ｔ０＝Ｔ１＋Ｔ２）で第１期間Ｔ１と第２期間Ｔ２を切り替えるように一対の第１スイッチ２１をオン・オフする。ＬＥＤに関連する電気用品安全法の技術基準によれば、光出力の繰り返し周波数が５００Ｈｚ以上であることが必要である。したがって、周期Ｔ０は、約２ミリ秒以下であることが好ましい。
【００１９】
上述のようにＬＥＤ５に定格の順電流Ｉｆが流れる第１期間Ｔ１が周期Ｔ０の半分になれば、単位時間（例えば、１秒間）にＬＥＤ５から放射される光の光量も半分になる。その結果、点灯装置１は、５０％の調光レベルでＬＥＤ５を点灯させることができる。
【００２０】
ここで、第１期間Ｔ１においては、ＬＥＤ５の寄生容量５０に電荷が蓄積されている。第１期間Ｔ１において寄生容量５０に蓄積された電荷は、一対の第１スイッチ２１がオフされることによって放電される。強制オフ回路４がない場合、寄生容量５０に蓄積された電荷がＬＥＤ５のアノード端子からカソード端子を通して放電される。その結果、寄生容量５０に蓄積された電荷がなくなるまでの期間（過渡期間）にＬＥＤ５が点灯する。過渡期間にＬＥＤ５に流れる電流のピーク値は、定格の順電流Ｉｆよりも大きいため、過渡期間においてＬＥＤ５から放射される光の色（光源色）は、定格の順電流Ｉｆが流れたときの光源色からずれてしまう。
【００２１】
一方、点灯装置１は、強制オフ回路４を備えている。強制オフ回路４の一対の第２スイッチ４１は、第２期間Ｔ２の開始時点から、周期Ｔ０よりも十分に短くかつ寄生容量５０の電荷を放電可能な期間（第３期間Ｔ３）に、制御回路３によってオン状態に維持される（図２参照）。第３期間Ｔ３には一対の第２スイッチ４１がオン状態に維持されているので、ＬＥＤ５のアノード端子とカソード端子の間に、直流電源４０の直流電圧が逆方向に印加される。したがって、第１期間Ｔ１にＬＥＤ５に蓄積された電荷は、一対の第２スイッチ４１及び直流電源４０を介して放電される。つまり、強制オフ回路４は、第１期間Ｔ１に寄生容量５０に蓄積された電荷をＬＥＤ５を通さずに放電させる。その結果、点灯装置１は、第１期間Ｔ１から第２期間Ｔ２に切り替わった時点からＬＥＤ５を消灯させることができる。
【００２２】
ここで、制御回路３は、調光レベルが低くなるほど第１期間Ｔ１を短縮し、かつ、第２期間Ｔ２を延長する。言い換えると、制御回路３は、調光レベルに応じて、周期Ｔ０に対する第１期間Ｔ１の割合（デューティ比）を増減する。制御回路３は、操作指令で指示される調光レベルが下限値（例えば、５％）であれば、周期Ｔ０に対する第１期間Ｔ１の割合を下限値（例えば、５％）とする（図３参照）。
【００２３】
上述のように、点灯装置１では、制御回路３が点灯回路２の一対の第１スイッチ２１をＰＷＭ（Pulse Width Modulation）制御することにより、ＬＥＤ５を調光する。そして、点灯装置１では、制御回路３が一対の第１スイッチ２１をオン状態からオフ状態に切り替えるときに、強制オフ回路４がＬＥＤ５の寄生容量５０に蓄積された電荷を、ＬＥＤ５を通さずに放電させる。その結果、点灯装置１は、強制オフ回路４を備えない場合に比べて、ＬＥＤ５から放射される光の色のばらつき（光源色の色度のばらつき）を抑制することができる。
【００２４】
ところで、強制オフ回路４は、寄生容量５０に蓄えられている電荷を放電させる経路に挿入された限流素子を有することが好ましい。限流素子は、例えば、抵抗器が好ましい。強制オフ回路４は、寄生容量５０の放電電流を限流素子で限流することにより、直流電源４０及び一対の第２スイッチ４１などの強制オフ回路４の回路素子を電気的に保護することができる。
【００２５】
（実施形態２）
実施形態２の点灯装置１は、図４に示すように、三つの点灯回路２と、制御回路３と、三つの強制オフ回路４とを備える。また、実施形態２の照明システム６は、点灯装置１と、三つのＬＥＤ５とを備える。
【００２６】
照明システム６は、直流電源回路７１から供給される直流電力によって三つのＬＥＤ５を点灯させて照明を行う。直流電源回路７１は、交流電源７０から供給される交流電力を直流電力に電力変換する。また、直流電源回路７１は、例えば、全波整流器、平滑コンデンサ、力率改善回路（昇圧チョッパ回路）などで構成されることが好ましい。なお、交流電源７０と直流電源回路７１に代えて、蓄電池などの直流電源から照明システム６に直流電力が供給されてもかまわない。
【００２７】
三つのＬＥＤ５は、光源色が赤色である第１のＬＥＤ５Ａ、光源色が緑色である第２のＬＥＤ５Ｂ、及び光源色が青色である第３のＬＥＤ５Ｃである。第１のＬＥＤ５Ａは、第１の寄生容量５０Ａを有する。第２のＬＥＤ５Ｂは、第２の寄生容量５０Ｂを有する。第３のＬＥＤ５Ｃは、第３の寄生容量５０Ｃを有する。ただし、ＬＥＤ５の個数（種類）は三つに限定されない。例えば、ＬＥＤ５は、光源色の相関色温度が異なる２種類の白色ＬＥＤ（例えば、電球色のＬＥＤと昼白色のＬＥＤ）であってもかまわない。あるいは、赤色、緑色及び青色以外の光源色（例えば、白色など）のＬＥＤが含まれていてもかまわない。
【００２８】
点灯装置１は、三つの点灯回路２と、制御回路３と、三つの強制オフ回路４とを備える。なお、三つの点灯回路２を第１の点灯回路２Ａ、第２の点灯回路２Ｂ及び第３の点灯回路２Ｃと呼称する場合がある。また、三つの強制オフ回路４を第１の強制オフ回路４Ａ、第２の強制オフ回路４Ｂ及び第３の強制オフ回路４Ｃと呼称する場合がある。
【００２９】
第１の点灯回路２Ａは、実施形態１の点灯装置１における点灯回路２と同様に、定電流源（不図示）と一対の第１スイッチ（不図示）を有する。定電流源は、スイッチング電源回路（例えば、降圧チョッパ回路、昇降圧チョッパ回路、あるいは絶縁型のＤＣ−ＤＣコンバータなど）であることが好ましい。また、第１スイッチは、バイポーラトランジスタ又は電界効果トランジスタなどの半導体スイッチング素子であることが好ましい。定電流源は、一対の第１スイッチがオン状態であるときに第１のＬＥＤ５Ａに一定の電流（例えば、第１のＬＥＤ５Ａの定格の順電流）を流して第１のＬＥＤ５Ａを点灯（定格点灯）させる。
【００３０】
第２の点灯回路２Ｂは、実施形態１の点灯装置１における点灯回路２と同様に、定電流源（不図示）と一対の第１スイッチ（不図示）を有する。定電流源は、第１の点灯回路２Ａと同様に、スイッチング電源回路であることが好ましい。また、第１スイッチは、バイポーラトランジスタ又は電界効果トランジスタなどの半導体スイッチング素子であることが好ましい。定電流源は、一対の第１スイッチがオン状態であるときに第２のＬＥＤ５Ｂに一定の電流（例えば、第２のＬＥＤ５Ｂの定格の順電流）を流して第２のＬＥＤ５Ｂを点灯（定格点灯）させる。
【００３１】
第３の点灯回路２Ｃは、実施形態１の点灯装置１における点灯回路２と同様に、定電流源（不図示）と一対の第１スイッチ（不図示）を有する。定電流源は、第１の点灯回路２Ａ及び第２の点灯回路２Ｂと同様に、スイッチング電源回路であることが好ましい。また、第１スイッチは、バイポーラトランジスタ又は電界効果トランジスタなどの半導体スイッチング素子であることが好ましい。定電流源は、一対の第１スイッチがオン状態であるときに第３のＬＥＤ５Ｃに一定の電流（例えば、第３のＬＥＤ５Ｃの定格の順電流）を流して第３のＬＥＤ５Ｃを点灯（定格点灯）させる。
【００３２】
第１の強制オフ回路４Ａは、実施形態１の点灯装置１における強制オフ回路４と同様に、直流電源（不図示）と一対の第２スイッチ（不図示）を有する。第１の強制オフ回路４Ａは、一対の第２スイッチがオン状態であるときに第１の寄生容量５０Ａに蓄積された電荷を放電させる。第２の強制オフ回路４Ｂは、実施形態１の点灯装置１における強制オフ回路４と同様に、直流電源（不図示）と一対の第２スイッチ（不図示）を有する。第２の強制オフ回路４Ｂは、一対の第２スイッチがオン状態であるときに第２の寄生容量５０Ｂに蓄積された電荷を放電させる。第３の強制オフ回路４Ｃは、実施形態１の点灯装置１における強制オフ回路４と同様に、直流電源（不図示）と一対の第２スイッチ（不図示）を有する。第３の強制オフ回路４Ｃは、一対の第２スイッチがオン状態であるときに第３の寄生容量５０ｃに蓄積された電荷を放電させる。なお、第１〜第３の強制オフ回路４Ａ〜４Ｃの各々が有する直流電源は、直流電源回路７１から供給される直流電圧を昇圧、降圧又は昇降圧するスイッチング電源回路であることが好ましい。また、第１〜第３の強制オフ回路４Ａ〜４Ｃの各々が有する第２スイッチは、バイポーラトランジスタ又は電界効果トランジスタなどの半導体スイッチング素子であることが好ましい。
【００３３】
制御回路３は、操作指令で指示される調光レベルに応じて、第１の点灯回路２Ａ、第２の点灯回路２Ｂ及び第３の点灯回路２Ｃの各々が有する一対の第１スイッチをＰＷＭ制御する。つまり、制御回路３は、第１の点灯回路２Ａ、第２の点灯回路２Ｂ及び第３の点灯回路２Ｃの各々の出力電流の単位時間当たりの平均値を増減することにより、第１のＬＥＤ５Ａ、第２のＬＥＤ５Ｂ及び第３のＬＥＤ５Ｃのそれぞれの光量を各別に調光する。さらに、制御回路３は、操作指令で指示される調色指示値に応じて、第１のＬＥＤ５Ａ、第２のＬＥＤ５Ｂ及び第３のＬＥＤ５Ｃのそれぞれの光量の割合を調整（調色）する。ここで、調色指示値とは、照明システム６が照射する光の色（色度）を指示する値である。具体的には、調色指示値で指示される光色を再現するために必要とされる、第１のＬＥＤ５Ａの光量、第２のＬＥＤ５Ｂの光量及び第３のＬＥＤ５Ｃの光量の割合である。つまり、第１のＬＥＤ５Ａの光量、第２のＬＥＤ５Ｂの光量及び第３のＬＥＤ５Ｃの光量の割合により、照明システム６の光色が決まる。
【００３４】
また、制御回路３は、第１の点灯回路２Ａの一対の第１スイッチをオン状態からオフ状態に切り替える際、第１の強制オフ回路４Ａの第２スイッチをオフ状態からオン状態に切り替える。第１の強制オフ回路４Ａの一対の第２スイッチが制御回路３によってオン状態に維持されている間、第１の寄生容量５０Ａに蓄積された電荷が、第１の強制オフ回路４Ａを介して放電される。つまり、第１の強制オフ回路４Ａは、第１期間に第１の寄生容量５０Ａに蓄積された電荷を第１のＬＥＤ５Ａを通さずに放電させる。その結果、点灯装置１は、第１期間から第２期間に切り替わった時点から第１のＬＥＤ５Ａを消灯させることができる。
【００３５】
さらに、制御回路３は、第２及び第３の点灯回路２Ｂ、２Ｃの各々の一対の第１スイッチをオン状態からオフ状態に切り替える際、第２及び第３の強制オフ回路４Ｂ、４Ｃの各々の第２スイッチをオフ状態からオン状態に切り替える。第２及び第３の強制オフ回路４Ｂ、４Ｃの一対の第２スイッチが制御回路３によってオン状態に維持されている間、第２及び第３の寄生容量５０Ｂ、５０Ｃに蓄積された電荷が、第２及び第３の強制オフ回路４Ｂ、４Ｃを介して放電される。つまり、第２及び第３の強制オフ回路４Ｂ、４Ｃは、第１期間に第２及び第３の寄生容量５０Ｂ、５０Ｃに蓄積された電荷を第２及び第３のＬＥＤ５Ｂ、５Ｃを通さずに放電させる。その結果、点灯装置１は、第１期間から第２期間に切り替わった時点から第２及び第３のＬＥＤ５Ｂ、５Ｃを消灯させることができる。
【００３６】
上述のように、実施形態２の点灯装置１では、制御回路３が三つの点灯回路２の各々の一対の第１スイッチ２１をＰＷＭ制御することにより、三つのＬＥＤ５から放射されて混合される光を調光及び調色する。そして、点灯装置１では、制御回路３が一対の第１スイッチ２１をオン状態からオフ状態に切り替えるときに、三つの強制オフ回路４の各々が三つのＬＥＤ５の各々の寄生容量５０に蓄積された電荷を、各々のＬＥＤ５を通さずに放電させる。その結果、点灯装置１は、強制オフ回路４を備えない場合に比べて、各ＬＥＤ５から放射される光及び混合された光の色のばらつき（光源色の色度のばらつき）を抑制することができる。
【００３７】
ここで、実施形態２の点灯装置１及び照明システム６の変形例を説明する。変形例の点灯装置１は、図５に示すように、一つの強制オフ回路４によって、第１〜第３の寄生容量５０Ａ〜５０Ｃに蓄積された電荷を放電させる。つまり、当該変形例における強制オフ回路４は、直流電源（不図示）と、三対の第２スイッチとを有する。ただし、三対の第２スイッチの各々の片方の第２スイッチは兼用されてもよい。つまり、強制オフ回路４は、一つの直流電源と四つの第２スイッチを有することが好ましい。
【００３８】
上記変形例の点灯装置１及び照明システム６は、強制オフ回路４の個数を三つから一つに削減されることにより、点灯装置１及び照明システム６の製造コストの低減を図ることができる。
【００３９】
（実施形態３）
実施形態３の点灯装置１及び照明システム６は、図６に示すように、強制オフ回路４の構成に特徴があり、強制オフ回路４以外の構成については実施形態１の点灯装置１及び照明システム６と共通している。
【００４０】
実施形態３における強制オフ回路４は、図６に示すように、直流電源に相当するコンデンサ４２と、限流用の抵抗器４３と、一対の第３スイッチ４４とを有する。コンデンサ４２は、電解コンデンサ又は電気二重層キャパシタであることが好ましい。
【００４１】
コンデンサ４２の正極は、一方の第３スイッチ４４を介してＬＥＤ５のアノード端子と電気的に接続されている。また、コンデンサ４２の正極は、一方の第２スイッチ４１を介してＬＥＤ５のカソード端子と電気的に接続されている。コンデンサ４２の負極は、抵抗器４３及び他方の第３スイッチ４４を介してＬＥＤ５のカソード端子と電気的に接続されている。また、コンデンサ４２の負極は、抵抗器４３及び一方の他方の第２スイッチ４１を介してＬＥＤ５のアノード端子と電気的に接続されている。一対の第３スイッチ４４は、制御回路３によって連動してオン・オフされる。
【００４２】
制御回路３は、第１期間Ｔ１に一対の第１スイッチ２１及び一対の第３スイッチ４４をオン状態とする。一対の第１スイッチ２１がオン状態である第１期間Ｔ１には、定電流源２０から一対の第１スイッチ２１を介してＬＥＤ５に順電流が流れてＬＥＤ５が点灯する。また、第１期間Ｔ１には、一対の第１スイッチ２１及び一対の第３スイッチ４４を介して定電流源２０の出力電流（直流電流）が強制オフ回路４に流れるため、コンデンサ４２が充電される。
【００４３】
制御回路３は、第２期間Ｔ２に一対の第１スイッチ２１及び一対の第３スイッチ４４をオフ状態とする。さらに、制御回路３は、第１期間Ｔ１から第２期間Ｔ２に移行する際、第３期間Ｔ３の間、一対の第１スイッチ２１及び一対の第３スイッチ４４をオフ状態とした後、一対の第２スイッチ４１をオン状態に維持する。第３期間Ｔ３においては、第１期間Ｔ１にコンデンサ４２の両端電圧が寄生容量５０に印加されることにより、第１期間Ｔ１に寄生容量５０に蓄えられた電荷がＬＥＤ５を介さずに強制オフ回路４によって放電される。その結果、点灯装置１は、第１期間から第２期間に切り替わった時点からＬＥＤ５を消灯させることができる。
【００４４】
上述のように、実施形態３の点灯装置１及び照明システム６は、強制オフ回路４によってＬＥＤ５の寄生容量５０に蓄積された電荷を、ＬＥＤ５を通さずに放電させるので、ＬＥＤ５から放射される光の色のばらつきを抑制することができる。しかも、実施形態３の点灯装置１及び照明システム６は、コンデンサ４２を直流電源としているので、スイッチング電源回路を直流電源とする場合に比べて、回路構成の簡素化による製造コストの低減を図ることができる。
【００４５】
上述のように第１の態様に係る点灯装置（１）は、一対の端子間に静電容量（寄生容量５０）を有する発光素子（ＬＥＤ５）に対して、一対の端子を通して発光素子に直流電流（順電流Ｉｆ）を供給する点灯回路（２）を備える。第１の態様に係る点灯装置（１）は、制御回路（３）を備える。制御回路（３）は、点灯回路（２）を制御し、発光素子に直流電流を供給する第１期間（Ｔ１）と発光素子に直流電流を供給しない第２期間（Ｔ２）を交互に切り替えさせ、かつ、単位時間当たりの第１期間（Ｔ１）と第２期間（Ｔ２）の割合を変化させる。第１の態様に係る点灯装置（１）は、点灯回路（２）が第１期間（Ｔ１）から第２期間（Ｔ２）に切り替えられるときに、静電容量に蓄えられている電荷を、発光素子を通さずに放電させる強制オフ回路（４）を備える。
【００４６】
第１の態様に係る点灯装置（１）は、第１期間（Ｔ１）に静電容量に蓄積された電荷を、強制オフ回路（４）が発光素子を通さずに放電させるので、第１期間（Ｔ１）から第２期間（Ｔ２）に切り替わった時点から発光素子を消灯させることができる。その結果、第１の態様に係る点灯装置（１）は、光源色の色度のばらつきを抑制することができる。
【００４７】
第２の態様に係る点灯装置（１）は、第１の態様との組合せにより実現され得る。第２の態様に係る点灯装置（１）において、点灯回路（２）である第１の点灯回路（２Ａ）と第２の点灯回路（２Ｂ）と、強制オフ回路（４）である第１の強制オフ回路（４Ａ）と第２の強制オフ回路（４Ｂ）とを備えることが好ましい。第１の点灯回路（２Ａ）は、複数の発光素子のうち、第１の光源色を有する第１の発光素子に直流電流を供給することが好ましい。第２の点灯回路（２Ｂ）は、複数の発光素子のうち、第１の光源色と色度の異なる第２の光源色を有する第２の発光素子に直流電流を供給することが好ましい。第１の強制オフ回路（４Ａ）は、第１の点灯回路（２Ａ）が第１期間（Ｔ１）から第２期間（Ｔ２）に切り替えられるときに、第１の発光素子が有する静電容量に蓄えられている電荷を、第１の発光素子を通さずに放電させることが好ましい。第２の強制オフ回路（４Ｂ）は、第２の点灯回路（２Ｂ）が第１期間（Ｔ１）から第２期間（Ｔ２）に切り替えられるときに、第２の発光素子が有する静電容量に蓄えられている電荷を、第２の発光素子を通さずに放電させることが好ましい。
【００４８】
第２の態様に係る点灯装置（１）は、光源色が異なる第１の発光素子及び第２の発光素子の各々の光源色の色度のばらつきを抑制することにより、第１の発光素子の光と第２の発光素子の光が混合された光の色の色度のばらつきを抑制することができる。
【００４９】
第３の態様に係る点灯装置（１）は、第１の態様との組合せにより実現され得る。第３の態様に係る点灯装置（１）において、点灯回路（２）である第１の点灯回路（２Ａ）と第２の点灯回路（２Ｂ）を備えることが好ましい。第１の点灯回路（２Ａ）は、複数の発光素子のうち、第１の光源色を有する第１の発光素子に直流電流を供給することが好ましい。第２の点灯回路（２Ｂ）は、複数の発光素子のうち、第１の光源色と色度の異なる第２の光源色を有する第２の発光素子に直流電流を供給することが好ましい。強制オフ回路（４）は、第１の点灯回路（２Ａ）及び第２の点灯回路（２Ｂ）が第１期間（Ｔ１）から第２期間（Ｔ２）に切り替えられるときに、第１の発光素子及び第２の発光素子が有する静電容量に蓄えられている電荷を、第１の発光素子及び第２の発光素子を通さずに放電させることが好ましい。
【００５０】
第３の態様に係る点灯装置（１）は、一つの強制オフ回路（４）で第１の発光素子の静電容量及び第２の発光素子の静電容量に蓄えられた電荷を放電させるので、強制オフ回路（４）の個数を削減して製造コストの低減を図ることができる。
【００５１】
第４の態様に係る点灯装置（１）は、第１〜第３の態様のいずれかとの組合せにより実現され得る。第４の態様に係る点灯装置（１）において、強制オフ回路（４）は、静電容量に蓄えられている電荷を放電させる経路に挿入された限流素子（抵抗器４３）を有することが好ましい。
【００５２】
第４の態様に係る点灯装置（１）は、静電容量の放電電流を限流素子（抵抗器４３）で限流することにより、強制オフ回路（４）の回路素子を電気的に保護することができる。
【００５３】
第５の態様に係る点灯装置（１）は、第１〜第４の態様のいずれか一つとの組合せにより実現され得る。第５の態様に係る点灯装置（１）において、強制オフ回路（４）は、一対の端子間に逆方向の直流電圧を印加する回路又は回路素子を有することが好ましい。
【００５４】
第５の態様に係る点灯装置（１）は、発光素子の一対の端子間に逆方向の直流電圧を印加することにより、静電容量に蓄積された電荷を速やかに放電させることができる。
【００５５】
第６の態様に係る点灯装置（１）は、第５の態様との組合せにより実現され得る。第６の態様に係る点灯装置（１）において、回路素子はコンデンサ（４２）であることが好ましい。
【００５６】
第６の態様に係る点灯装置（１）は、第１期間（Ｔ１）にコンデンサ（４２）に電荷を蓄えることにより、コンデンサ（４２）の両端電圧を発光素子の一対の端子間に逆方向に印加することができる。その結果、第６の態様に係る点灯装置（１）は、強制オフ回路（４）の回路構成を簡素化しつつ、静電容量に蓄積された電荷を速やかに放電させることができる。
【００５７】
第７の態様に係る点灯装置（１）は、第５の態様との組合せにより実現され得る。第７の態様に係る点灯装置（１）において、回路はスイッチング電源回路であることが好ましい。
【００５８】
第７の態様に係る点灯装置（１）は、強制オフ回路（４）から静電容量に印加する直流電圧を、スイッチング電源回路によって一定に保つことにより、強制オフ回路（４）の動作を安定させることができる。
【００５９】
第８の態様に係る点灯装置（１）は、第１〜第７の態様のいずれか一つとの組合せにより実現され得る。第８の態様に係る点灯装置（１）において、静電容量は、発光素子の寄生容量（５０）を含むことが好ましい。
【００６０】
第８の態様に係る点灯装置（１）は、光源色の色度のばらつきを抑制することができる。
【００６１】
第９の態様に係る照明システム（６）は、第１〜第８の態様のいずれか一つに係る点灯装置（１）と、一対の端子間に静電容量を有し、一対の端子を通して点灯装置（１）から直流電流が供給される一つ以上の発光素子（ＬＥＤ５）とを有する。
【００６２】
第９の態様に係る照明システム（６）は、第１期間（Ｔ１）から第２期間（Ｔ２）に切り替わった時点から発光素子を消灯させ、光源色の色度のばらつきを抑制することができる。
【符号の説明】
【００６３】
１  点灯装置
２  点灯回路
２Ａ  第１の点灯回路
２Ｂ  第２の点灯回路
３  制御回路
４  強制オフ回路
４Ａ  第１の強制オフ回路
４Ｂ  第２の強制オフ回路
５  ＬＥＤ（発光素子）
６  照明システム
４２  コンデンサ
４３  抵抗器（限流素子）
５０  寄生容量（静電容量）
Ｔ１  第１期間
Ｔ２  第２期間
【図１】
2020021615.tif 000003
【図２】
2020021615.tif 000004
【図３】
2020021615.tif 000005
【図４】
2020021615.tif 000006
【図５】
2020021615.tif 000007
【図６】
2020021615.tif 000008
【図７】
2020021615.tif 000009